【手続補正書】
【提出日】平成29年3月31日(2017.3.31)
【手続補正１】
【補正対象書類名】特許請求の範囲
【補正対象項目名】全文
【補正方法】変更
【補正の内容】
【特許請求の範囲】
【請求項１】
コンピューティングプラットフォームを用いて、
モバイルデバイスの推定されたロケーションを取得することと、
前記推定されたロケーションにおける前記モバイルデバイスにワイヤレス信号を送信することが可能な複数の送信デバイスの幾何学的分布の品質を決定することと、
前記幾何学的分布の前記品質に少なくとも部分的に基づいて、前記推定されたロケーションに不確実性を割り当てることと、
前記不確実性がしきい値不確実性よりも小さいことに応答して、前記複数の送信デバイスのうちの少なくとも１つに関する適応された送信設定を決定することと、
前記複数の送信デバイスのうちの前記少なくとも１つに、前記適応された送信設定を示すメッセージを送信することと、
を備える、方法。
【請求項２】
前記適応された送信設定が、送信電力設定、周波数設定、チャネル設定、および／または送信モード設定を示す、請求項１に記載の方法。
【請求項３】
前記コンピューティングプラットフォームが前記モバイルデバイス内にプロビジョニングされず、前記モバイルデバイスの前記推定されたロケーションを取得することが、
前記モバイルデバイスから前記推定されたロケーションを受信すること
を備える、請求項１に記載の方法。
【請求項４】
前記コンピューティングプラットフォームが前記モバイルデバイス内にプロビジョニングされず、前記モバイルデバイスの前記推定されたロケーションを取得することが、
前記複数の送信デバイスのうちの１つまたは複数から前記モバイルデバイスによって受信されたワイヤレス信号に関する測定されたパラメータを前記モバイルデバイスから受信することと、
前記測定されたパラメータに少なくとも部分的に基づいて、前記モバイルデバイスの前記推定されたロケーションを決定することと、
を備える、請求項１に記載の方法。
【請求項５】
前記コンピューティングプラットフォームが前記モバイルデバイス内にプロビジョニングされ、前記コンピューティングプラットフォームを用いて、
前記複数の送信デバイスのうちの１つまたは複数から受信されたワイヤレス信号に関する測定されたパラメータに少なくとも部分的に基づいて、前記モバイルデバイスの前記推定されたロケーションを決定すること
をさらに備える、請求項１に記載の方法。
【請求項６】
モバイルデバイスの推定されたロケーションを取得するための手段と、
前記推定されたロケーションにおける前記モバイルデバイスにワイヤレス信号を送信することが可能な複数の送信デバイスの幾何学的分布の品質を決定するための手段と、
前記幾何学的分布の前記品質に少なくとも部分的に基づいて、前記推定されたロケーションに不確実性を割り当てるための手段と、
前記不確実性がしきい値不確実性よりも小さいことに応答して、前記複数の送信デバイスのうちの少なくとも１つに関する適応された送信設定を決定するための手段と、
前記複数の送信デバイスのうちの前記少なくとも１つに、前記適応された送信設定を示すメッセージを送信するための手段と、
を備える、装置。
【請求項７】
コンピューティングプラットフォームを用いて、
モバイルデバイスの推定されたロケーションを取得することと、
前記推定されたロケーションにおける前記モバイルデバイスにワイヤレス信号を送信することが可能な複数の送信デバイスの幾何学的分布の品質を決定することと、
前記幾何学的分布の前記品質に少なくとも部分的に基づいて、前記推定されたロケーションに不確実性を割り当てることと、
前記不確実性がしきい値不確実性よりも小さいことに応答して、前記モバイルデバイスに関する適応された支援データを識別することと、
前記適応された支援データを示すメッセージを電子デバイスに送信することと、
を備える、方法。
【請求項８】
前記電子デバイスが前記モバイルデバイスを備え、前記メッセージが前記適応された支援データを備える、請求項７に記載の方法。
【請求項９】
前記メッセージが、前記適応された支援データを前記モバイルデバイスに送信するための、前記電子デバイスへの要求を示す、請求項７に記載の方法。
【請求項１０】
前記コンピューティングデバイスが前記モバイルデバイス内にプロビジョニングされず、前記モバイルデバイスの前記推定されたロケーションを取得することが、
前記モバイルデバイスから前記推定されたロケーションを受信すること
をさらに備える、請求項７に記載の方法。
【請求項１１】
前記モバイルデバイスの前記推定されたロケーションを取得することが、
前記複数の送信デバイスのうちの１つまたは複数から前記モバイルデバイスによって受信されたワイヤレス信号に関する測定パラメータに少なくとも部分的に基づいて、前記モバイルデバイスの前記推定されたロケーションを決定すること
をさらに備える、請求項７に記載の方法。
【請求項１２】
前記複数の送信デバイスの前記幾何学的分布が、前記複数の送信デバイスの少なくとも一部分に対応する計算された精度低下率（ＤＯＰ）に少なくとも部分的に基づく、請求項１または７に記載の方法。
【請求項１３】
前記複数の送信デバイスのうちの少なくとも１つが、別のモバイルデバイスまたはアクセスポイントデバイスを備える、請求項１または７に記載の方法。
【請求項１４】
モバイルデバイスの推定されたロケーションを取得するための手段と、
前記推定されたロケーションにおける前記モバイルデバイスにワイヤレス信号を送信することが可能な複数の送信デバイスの幾何学的分布の品質を決定するための手段と、
前記幾何学的分布の前記品質に少なくとも部分的に基づいて、前記推定されたロケーションに不確実性を割り当てるための手段と、
前記不確実性がしきい値不確実性よりも小さいことに応答して、前記モバイルデバイスに関する適応された支援データを識別するための手段と、
前記適応された支援データを示すメッセージを電子デバイスに送信するための手段と、
を備える、装置。
【請求項１５】
請求項１乃至５または請求項７乃至１３のいずれか一項の方法を行うように、コンピューティングプラットフォームの処理ユニットによって実行可能なコンピュータ実装可能命令を記憶した非一時的コンピュータ可読媒体
を備える、物品。
【手続補正２】
【補正対象書類名】明細書
【補正対象項目名】００９９
【補正方法】変更
【補正の内容】
【００９９】
[00102]したがって、特許請求される主題は、開示された特定の例に限定されず、そのような特許請求される主題はまた、添付の特許請求の範囲の範囲内に入るすべての態様とそれらの等価物とを含み得るものとする。
以下に、本願出願の当初の特許請求の範囲に記載された発明を付記する。
［Ｃ１］
コンピューティングプラットフォームを用いて、
モバイルデバイスの推定されたロケーションを取得することと、
前記推定されたロケーションにおける前記モバイルデバイスにワイヤレス信号を送信することが可能な複数の送信デバイスの幾何学的分布の品質を決定することと、
前記幾何学的分布の前記品質に少なくとも部分的に基づいて、前記推定されたロケーションに不確実性を割り当てることと、
前記不確実性がしきい値不確実性よりも小さいことに応答して、前記複数の送信デバイスのうちの少なくとも１つに関する適応された送信設定を決定することと、
前記複数の送信デバイスのうちの前記少なくとも１つに、前記適応された送信設定を示すメッセージを送信することと、
を備える、方法。
［Ｃ２］
前記適応された送信設定が送信電力設定を示す、Ｃ１に記載の方法。
［Ｃ３］
前記適応された送信設定が周波数設定および／またはチャネル設定を示す、Ｃ１に記載の方法。
［Ｃ４］
前記適応された送信設定が送信モード設定を示す、Ｃ１に記載の方法。
［Ｃ５］
前記コンピューティングプラットフォームが前記モバイルデバイス内にプロビジョニングされず、前記モバイルデバイスの前記推定されたロケーションを取得することが、
前記モバイルデバイスから前記推定されたロケーションを受信すること
を備える、Ｃ１に記載の方法。
［Ｃ６］
前記コンピューティングプラットフォームが前記モバイルデバイス内にプロビジョニングされず、前記モバイルデバイスの前記推定されたロケーションを取得することが、
前記複数の送信デバイスのうちの１つまたは複数から前記モバイルデバイスによって受信されたワイヤレス信号に関する測定されたパラメータを前記モバイルデバイスから受信することと、
前記測定されたパラメータに少なくとも部分的に基づいて、前記モバイルデバイスの前記推定されたロケーションを決定することと、
を備える、Ｃ１に記載の方法。
［Ｃ７］
前記コンピューティングプラットフォームが前記モバイルデバイス内にプロビジョニングされ、前記コンピューティングプラットフォームを用いて、
前記複数の送信デバイスのうちの１つまたは複数から受信されたワイヤレス信号に関する測定されたパラメータに少なくとも部分的に基づいて、前記モバイルデバイスの前記推定されたロケーションを決定すること
をさらに備える、Ｃ１に記載の方法。
［Ｃ８］
前記複数の送信デバイスの前記幾何学的分布が、前記複数の送信デバイスの少なくとも一部分に対応する計算された精度低下率（ＤＯＰ）に少なくとも部分的に基づく、Ｃ１に記載の方法。
［Ｃ９］
前記複数の送信デバイスのうちの少なくとも１つが別のモバイルデバイスを備える、Ｃ１に記載の方法。
［Ｃ１０］
前記複数の送信デバイスのうちの少なくとも１つがアクセスポイントデバイスを備える、Ｃ１に記載の方法。
［Ｃ１１］
モバイルデバイスの推定されたロケーションを取得するための手段と、
前記推定されたロケーションにおける前記モバイルデバイスにワイヤレス信号を送信することが可能な複数の送信デバイスの幾何学的分布の品質を決定するための手段と、
前記幾何学的分布の前記品質に少なくとも部分的に基づいて、前記推定されたロケーションに不確実性を割り当てるための手段と、
前記不確実性がしきい値不確実性よりも小さいことに応答して、前記複数の送信デバイスのうちの少なくとも１つに関する適応された送信設定を決定するための手段と、
前記複数の送信デバイスのうちの前記少なくとも１つに、前記適応された送信設定を示すメッセージを送信するための手段と、
を備える、装置。
［Ｃ１２］
前記適応された送信設定が送信電力設定を示す、Ｃ１１に記載の装置。
［Ｃ１３］
前記適応された送信設定が周波数設定および／またはチャネル設定を示す、Ｃ１１に記載の装置。
［Ｃ１４］
前記適応された送信設定が送信モード設定を示す、Ｃ１１に記載の装置。
［Ｃ１５］
前記装置が前記モバイルデバイス内にプロビジョニングされず、
前記モバイルデバイスから前記推定されたロケーションを受信するための手段
をさらに備える、Ｃ１１に記載の装置。
［Ｃ１６］
前記装置が前記モバイルデバイス内にプロビジョニングされず、
前記複数の送信デバイスのうちの１つまたは複数から前記モバイルデバイスによって受信されたワイヤレス信号に関する測定されたパラメータを前記モバイルデバイスから受信するための手段と、
前記測定されたパラメータに少なくとも部分的に基づいて、前記モバイルデバイスの前記推定されたロケーションを決定するための手段と、
をさらに備える、Ｃ１１に記載の装置。
［Ｃ１７］
前記装置が前記モバイルデバイス内にプロビジョニングされ、
前記複数の送信デバイスのうちの１つまたは複数から受信されたワイヤレス信号に関する測定されたパラメータに少なくとも部分的に基づいて、前記モバイルデバイスの前記推定されたロケーションを決定するための手段
をさらに備える、Ｃ１１に記載の装置。
［Ｃ１８］
前記複数の送信デバイスの前記幾何学的分布が、前記複数の送信デバイスの少なくとも一部分に対応する計算された精度低下率（ＤＯＰ）に少なくとも部分的に基づく、Ｃ１１に記載の装置。
［Ｃ１９］
前記複数の送信デバイスのうちの少なくとも１つが別のモバイルデバイスを備える、Ｃ１１に記載の装置。
［Ｃ２０］
前記複数の送信デバイスのうちの少なくとも１つがアクセスポイントデバイスを備える、Ｃ１１に記載の装置。
［Ｃ２１］
通信インターフェースと、
前記通信インターフェースに結合され、
モバイルデバイスの推定されたロケーションを取得することと、
前記推定されたロケーションにおける前記モバイルデバイスにワイヤレス信号を送信することが可能な複数の送信デバイスの幾何学的分布の品質を決定することと、
前記幾何学的分布の前記品質に少なくとも部分的に基づいて、前記推定されたロケーションに不確実性を割り当てることと、
前記不確実性がしきい値不確実性よりも小さいことに応答して、前記複数の送信デバイスのうちの少なくとも１つに関する適応された送信設定を決定することと、
前記通信インターフェースを介した、前記複数の送信デバイスのうちの前記少なくとも１つへの前記適応された送信設定を示すメッセージの送信を開始することと、
を行うように構成された、
処理ユニットと、
を備える、デバイス。
［Ｃ２２］
前記適応された送信設定が送信電力設定を示す、Ｃ２１に記載のデバイス。
［Ｃ２３］
前記適応された送信設定が周波数設定および／またはチャネル設定を示す、Ｃ２１に記載のデバイス。
［Ｃ２４］
前記適応された送信設定が送信モード設定を示す、Ｃ２１に記載のデバイス。
［Ｃ２５］
前記デバイスが前記モバイルデバイスを備えず、前記処理ユニットが、
前記通信インターフェースを介して前記モバイルデバイスから前記推定されたロケーションを受信する
ようにさらに構成された、Ｃ２１に記載のデバイス。
［Ｃ２６］
前記デバイスが前記モバイルデバイスを備えず、前記処理ユニットが、
前記複数の送信デバイスのうちの１つまたは複数から前記モバイルデバイスによって受信されたワイヤレス信号に関する測定されたパラメータを、前記通信インターフェースを介して前記モバイルデバイスから取得することと、
前記測定されたパラメータに少なくとも部分的に基づいて、前記モバイルデバイスの前記推定されたロケーションを決定することと、
を行うようにさらに構成された、Ｃ２１に記載のデバイス。
［Ｃ２７］
前記デバイスが前記モバイルデバイスを備え、前記処理ユニットが、
前記通信インターフェースを介して前記複数の送信デバイスのうちの１つまたは複数から受信されたワイヤレス信号に関する測定されたパラメータに少なくとも部分的に基づいて、前記モバイルデバイスの前記推定されたロケーションを決定する
ようにさらに構成された、Ｃ２１に記載のデバイス。
［Ｃ２８］
前記複数の送信デバイスの前記幾何学的分布が、前記複数の送信デバイスの少なくとも一部分に対応する計算された精度低下率（ＤＯＰ）に少なくとも部分的に基づく、Ｃ２１に記載のデバイス。
［Ｃ２９］
前記複数の送信デバイスのうちの少なくとも１つが別のモバイルデバイスを備える、Ｃ２１に記載のデバイス。
［Ｃ３０］
前記複数の送信デバイスのうちの少なくとも１つがアクセスポイントデバイスを備える、Ｃ２１に記載のデバイス。
［Ｃ３１］
モバイルデバイスの推定されたロケーションを取得することと、
前記推定されたロケーションにおける前記モバイルデバイスにワイヤレス信号を送信することが可能な複数の送信デバイスの幾何学的分布の品質を決定することと、
前記幾何学的分布の前記品質に少なくとも部分的に基づいて、前記推定されたロケーションに不確実性を割り当てることと、
前記不確実性がしきい値不確実性よりも小さいことに応答して、前記複数の送信デバイスのうちの少なくとも１つに関する適応された送信設定を決定することと、
前記複数の送信デバイスのうちの前記少なくとも１つへの前記適応された送信設定を示すメッセージの送信を開始することと、
を行うように、コンピューティングプラットフォームの処理ユニットによって実行可能なコンピュータ実装可能命令を記憶した非一時的コンピュータ可読媒体
を備える、物品。
［Ｃ３２］
前記適応された送信設定が送信電力設定を示す、Ｃ３１に記載の物品。
［Ｃ３３］
前記適応された送信設定が周波数設定および／またはチャネル設定を示す、Ｃ３１に記載の物品。
［Ｃ３４］
前記適応された送信設定が送信モード設定を示す、Ｃ３１に記載の物品。
［Ｃ３５］
前記コンピューティングプラットフォームが前記モバイルデバイス内でプロビジョニングされず、前記コンピュータ実装可能命令が、
前記モバイルデバイスから前記推定されたロケーションを取得する
ように前記処理ユニットによってさらに実行可能である、Ｃ３１に記載の物品。
［Ｃ３６］
前記コンピューティングプラットフォームが前記モバイルデバイス内でプロビジョニングされず、前記コンピュータ実装可能命令が、
前記複数の送信デバイスのうちの１つまたは複数から前記モバイルデバイスによって受信されたワイヤレス信号に関する測定されたパラメータを前記モバイルデバイスから取得することと、
前記測定されたパラメータに少なくとも部分的に基づいて、前記モバイルデバイスの前記推定されたロケーションを決定することと
を行うように前記処理ユニットによってさらに実行可能である、Ｃ３１に記載の物品。
［Ｃ３７］
前記コンピューティングプラットフォームが前記モバイルデバイス内でプロビジョニングされ、前記コンピュータ実装可能命令が、
前記複数の送信デバイスのうちの１つまたは複数から受信されたワイヤレス信号に関する測定されたパラメータに少なくとも部分的に基づいて、前記モバイルデバイスの前記推定されたロケーションを決定する
ように前記処理ユニットによってさらに実行可能である、Ｃ３１に記載の物品。
［Ｃ３８］
前記複数の送信デバイスの前記幾何学的分布が、前記複数の送信デバイスの少なくとも一部分に対応する計算された精度低下率（ＤＯＰ）に少なくとも部分的に基づく、Ｃ３１に記載の物品。
［Ｃ３９］
前記複数の送信デバイスのうちの少なくとも１つが別のモバイルデバイスを備える、Ｃ３１に記載の物品。
［Ｃ４０］
前記複数の送信デバイスのうちの少なくとも１つがアクセスポイントデバイスを備える、Ｃ３１に記載の物品。
［Ｃ４１］
コンピューティングプラットフォームを用いて、
モバイルデバイスの推定されたロケーションを取得することと、
前記推定されたロケーションにおける前記モバイルデバイスにワイヤレス信号を送信することが可能な複数の送信デバイスの幾何学的分布の品質を決定することと、
前記幾何学的分布の前記品質に少なくとも部分的に基づいて、前記推定されたロケーションに不確実性を割り当てることと、
前記不確実性がしきい値不確実性よりも小さいことに応答して、前記モバイルデバイスに関する適応された支援データを識別することと、
前記適応された支援データを示すメッセージを電子デバイスに送信することと、
を備える、方法。
［Ｃ４２］
前記電子デバイスが前記モバイルデバイスを備え、前記メッセージが前記適応された支援データを備える、Ｃ４１に記載の方法。
［Ｃ４３］
前記メッセージが、前記適応された支援データを前記モバイルデバイスに送信するための、前記電子デバイスへの要求を示す、Ｃ４１に記載の方法。
［Ｃ４４］
前記適応された支援データが、前記モバイルデバイスに関する支援データのティアされたセットの一部分を備える、Ｃ４１に記載の方法。
［Ｃ４５］
前記モバイルデバイスに関する前記適応された支援データを識別することが、
前記モバイルデバイスに関する支援データの前記ティアされたセットの特定のティアを選択すること
をさらに備える、Ｃ４４に記載の方法。
［Ｃ４６］
前記コンピューティングデバイスが前記モバイルデバイス内にプロビジョニングされず、前記モバイルデバイスの前記推定されたロケーションを取得することが、
前記モバイルデバイスから前記推定されたロケーションを受信すること
をさらに備える、Ｃ４１に記載の方法。
［Ｃ４７］
前記モバイルデバイスの前記推定されたロケーションを取得することが、
前記複数の送信デバイスのうちの１つまたは複数から前記モバイルデバイスによって受信されたワイヤレス信号に関する測定パラメータに少なくとも部分的に基づいて、前記モバイルデバイスの前記推定されたロケーションを決定すること
をさらに備える、Ｃ４１に記載の方法。
［Ｃ４８］
前記複数の送信デバイスの前記幾何学的分布が、前記複数の送信デバイスの少なくとも一部分に対応する計算された精度低下率（ＤＯＰ）に少なくとも部分的に基づく、Ｃ４１に記載の方法。
［Ｃ４９］
前記複数の送信デバイスのうちの少なくとも１つが別のモバイルデバイスを備える、Ｃ４１に記載の方法。
［Ｃ５０］
前記複数の送信デバイスのうちの少なくとも１つがアクセスポイントデバイスを備える、Ｃ４１に記載の方法。
［Ｃ５１］
モバイルデバイスの推定されたロケーションを取得するための手段と、
前記推定されたロケーションにおける前記モバイルデバイスにワイヤレス信号を送信することが可能な複数の送信デバイスの幾何学的分布の品質を決定するための手段と、
前記幾何学的分布の前記品質に少なくとも部分的に基づいて、前記推定されたロケーションに不確実性を割り当てるための手段と、
前記不確実性がしきい値不確実性よりも小さいことに応答して、前記モバイルデバイスに関する適応された支援データを識別するための手段と、
前記適応された支援データを示すメッセージを電子デバイスに送信するための手段と、
を備える、装置。
［Ｃ５２］
前記電子デバイスが前記モバイルデバイスを備え、前記メッセージが前記適応された支援データを備える、Ｃ５１に記載の装置。
［Ｃ５３］
前記メッセージが、前記適応された支援データを前記モバイルデバイスに送信するための、前記電子デバイスへの要求を示す、Ｃ５１に記載の装置。
［Ｃ５４］
前記適応された支援データが、前記モバイルデバイスに関する支援データのティアされたセットの一部分を備える、Ｃ５１に記載の装置。
［Ｃ５５］
前記モバイルデバイスに関する支援データの前記ティアされたセットの特定のティアを選択するための手段
をさらに備える、Ｃ５４に記載の装置。
［Ｃ５６］
前記装置が前記モバイルデバイス内にプロビジョニングされず、
前記モバイルデバイスから前記推定されたロケーションを受信するための手段
をさらに備える、Ｃ５１に記載の装置。
［Ｃ５７］
前記複数の送信デバイスのうちの１つまたは複数から前記モバイルデバイスによって受信されたワイヤレス信号に関する測定されたパラメータに少なくとも部分的に基づいて、前記モバイルデバイスの前記推定されたロケーションを決定するための手段
をさらに備える、Ｃ５１に記載の装置。
［Ｃ５８］
前記複数の送信デバイスの前記幾何学的分布が、前記複数の送信デバイスの少なくとも一部分に対応する計算された精度低下率（ＤＯＰ）に少なくとも部分的に基づく、Ｃ５１に記載の装置。
［Ｃ５９］
前記複数の送信デバイスのうちの少なくとも１つが別のモバイルデバイスを備える、Ｃ５１に記載の装置。
［Ｃ６０］
前記複数の送信デバイスのうちの少なくとも１つがアクセスポイントデバイスを備える、Ｃ５１に記載の装置。
［Ｃ６１］
通信インターフェースと、
前記通信インターフェースに結合され、
モバイルデバイスの推定されたロケーションを取得することと、
前記推定されたロケーションにおける前記モバイルデバイスにワイヤレス信号を送信することが可能な複数の送信デバイスの幾何学的分布の品質を決定することと、
前記幾何学的分布の前記品質に少なくとも部分的に基づいて、前記推定されたロケーションに不確実性を割り当てることと、
前記不確実性がしきい値不確実性よりも小さいことに応答して、前記モバイルデバイスに関する適応された支援データを識別することと、
前記通信インターフェースを介した、電子デバイスへの前記適応された支援データを示すメッセージの送信を開始することと、
を行うように構成された、
処理ユニットと、
を備える、デバイス。
［Ｃ６２］
前記電子デバイスが前記モバイルデバイスを備え、前記メッセージが前記適応された支援データを備える、Ｃ６１に記載のデバイス。
［Ｃ６３］
前記メッセージが、前記適応された支援データを前記モバイルデバイスに送信するための、前記電子デバイスへの要求を示す、Ｃ６１に記載のデバイス。
［Ｃ６４］
前記適応された支援データが、前記モバイルデバイスに関する支援データのティアされたセットの一部分を備える、Ｃ６１に記載のデバイス。
［Ｃ６５］
前記処理ユニットが、
前記モバイルデバイスに関する支援データの前記ティアされたセットの特定のティアを選択する
ようにさらに構成された、Ｃ６４に記載のデバイス。
［Ｃ６６］
前記コンピューティングデバイスが前記モバイルデバイス内にプロビジョニングされず、前記処理ユニットが、
前記通信インターフェースを介して前記モバイルデバイスから前記推定されたロケーションを受信する
ようにさらに構成された、Ｃ６１に記載のデバイス。
［Ｃ６７］
前記処理ユニットが、
前記複数の送信デバイスのうちの１つまたは複数から前記モバイルデバイスによって受信されたワイヤレス信号に関する測定されたパラメータに少なくとも部分的に基づいて、前記モバイルデバイスの前記推定されたロケーションを決定する
ようにさらに構成された、Ｃ６１に記載のデバイス。
［Ｃ６８］
前記複数の送信デバイスの前記幾何学的分布が、前記複数の送信デバイスの少なくとも一部分に対応する計算された精度低下率（ＤＯＰ）に少なくとも部分的に基づく、Ｃ６１に記載のデバイス。
［Ｃ６９］
前記複数の送信デバイスのうちの少なくとも１つが別のモバイルデバイスを備える、Ｃ６１に記載のデバイス。
［Ｃ７０］
前記複数の送信デバイスのうちの少なくとも１つがアクセスポイントデバイスを備える、Ｃ６１に記載のデバイス。
［Ｃ７１］
モバイルデバイスの推定されたロケーションを取得することと、
前記推定されたロケーションにおける前記モバイルデバイスにワイヤレス信号を送信することが可能な複数の送信デバイスの幾何学的分布の品質を決定することと、
前記幾何学的分布の前記品質に少なくとも部分的に基づいて、前記推定されたロケーションに不確実性を割り当てることと、
前記不確実性がしきい値不確実性よりも小さいことに応答して、前記モバイルデバイスに関する適応された支援データを識別することと、
電子デバイスへの前記適応された支援データを示すメッセージの送信を開始することと、
を行うように、コンピューティングプラットフォームの処理ユニットによって実行可能なコンピュータ実装可能命令を記憶した非一時的コンピュータ可読媒体
を備える、物品。
［Ｃ７２］
前記電子デバイスが前記モバイルデバイスを備え、前記メッセージが前記適応された支援データを備える、Ｃ７１に記載の物品。
［Ｃ７３］
前記メッセージが、前記適応された支援データを前記モバイルデバイスに送信するための、前記電子デバイスへの要求を示す、Ｃ７１に記載の物品。
［Ｃ７４］
前記適応された支援データが、前記モバイルデバイスに関する支援データのティアされたセットの一部分を備える、Ｃ７１に記載の物品。
［Ｃ７５］
前記コンピュータ実装可能命令が、
前記モバイルデバイスに関する支援データの前記ティアされたセットの特定のティアを選択する
ように前記処理ユニットによってさらに実行可能である、Ｃ７４に記載の物品。
［Ｃ７６］
前記コンピューティングデバイスが前記モバイルデバイス内にプロビジョニングされず、前記コンピュータ実装可能命令が、
前記モバイルデバイスから前記推定されたロケーションを取得する
ように前記処理ユニットによってさらに実行可能である、Ｃ７１に記載の物品。
［Ｃ７７］
前記コンピュータ実装可能命令が、
前記複数の送信デバイスのうちの１つまたは複数から前記モバイルデバイスによって受信されたワイヤレス信号に関する測定されたパラメータに少なくとも部分的に基づいて、前記モバイルデバイスの前記推定されたロケーションを決定する
ように前記処理ユニットによってさらに実行可能である、Ｃ７１に記載の物品。
［Ｃ７８］
前記複数の送信デバイスの前記幾何学的分布が、前記複数の送信デバイスの少なくとも一部分に対応する計算された精度低下率（ＤＯＰ）に少なくとも部分的に基づく、Ｃ７１に記載の物品。
［Ｃ７９］
前記複数の送信デバイスのうちの少なくとも１つが別のモバイルデバイスを備える、Ｃ７１に記載の物品。
［Ｃ８０］
前記複数の送信デバイスのうちの少なくとも１つがアクセスポイントデバイスを備える、Ｃ７１に記載の物品。